(57)【要約】【課題】  既製のパイプ杖を立て掛けたりせずに、単独で自立して置けるようにする装置及びその自立機構を有する杖を提供する。【解決手段】  杖の自立を支えるための異形コイルバネと杖の重心を下げるための錘とを支軸に取り付け、位置を調整できる石突をこの錘に仮止めし、これらをパイプ杖に装着して、杖の自重によって石突が地面に接するように調整し、安定した自立姿勢を保てるようにする既製のパイプ杖を自立させる装置及びその自立機構を有する杖。【選択図】  図１
2006102408.tif 000002
【特許請求の範囲】
【請求項１】
杖の自立を支えるための異形コイルバネと杖の重心を下げるための錘とを支軸に取り付け、位置を調整できる石突をこの錘に仮止めし、これらをパイプ杖に装着して、杖の自重によって石突が地面に接するように調整し、安定した自立姿勢を保てるようにする既製のパイプ杖を自立させる装置。
【請求項２】
請求項１記載の自立機構を有する杖。
【発明の詳細な説明】
【技術分野】
【０００１】  本発明は、杖を立て掛けたりせずに単独で自立して置けるようにする装置及びその自立機構を有する杖に関するものである。
【背景技術】
【０００２】  従来、杖から手を離しておく場合には、壁面等に立て掛けたり、杖の棒状部にフックを取り付けテーブルの天面等に掛けたりする方法が知られている。
また、杖の転倒防止のために四角錐のキャップを取り付ける発明（特許文献１）。
杖の接地部となる脚を複数にする発明（特許文献２）。
杖に収納可能な三脚装置を取り付け自立させる発明（特許文献３）。
杖にバネのハネダシ部を取り付けて転倒を防止する発明の応用例図５（特許文献４）。
等が知られている。
【特許文献１】実用新案登録第３００２８９５号公報
【特許文献２】実用新案登録第３０３８７４１号公報
【特許文献３】特開２００２−１１９３１６号公報
【特許文献４】特開２０００−３２５１１９号公報
【発明の開示】
【発明が解決しようとする課題】
【０００３】  まず、従来の立て掛ける方法では、その場に都合の良い壁面やテーブルを必要とするので汎用性に乏しい。
次に、杖の転倒防止のために四角錐のキャップを取り付ける発明（特許文献１）や杖の接地部を複数にする発明（特許文献２）では、力を受ける接地面が広かったり多かったりするので歩行時に小石等の障害物があると安定性に欠ける可能性が高く危険である。
また、杖に収納可能な三脚装置を取り付け自立させる発明（特許文献３）では、自立させようとする度に開脚と閉脚の動作をさせなければならず手間がかかる。
最後に、杖にバネのハネダシ部を取り付けて転倒を防止する発明の応用例図５（特許文献４）では、実際に自立させる為に杖の重量バランスを考慮すると、バネを固めのものにした上で、ハネダシ部の取り付け位置を杖の棒状部の中間部近くまで引き上げるか、ハネダシの長さを水平方向に長く伸ばすかのどちらかを実施しなくては自立に必要とされるバランスがとれず安定した自立は難しくなるが、これらを実施するとハネダシ部は歩行時に邪魔なものとなってしまう。
更にハネダシ部の向きによっては杖を突く時に力が進行方向に対して均等にかからず、バランスが崩れて使用感が悪くなってしまう。
また、杖に収納可能な三脚装置を取り付け自立させる発明（特許文献３）や杖にバネのハネダシ部を取り付けて転倒を防止する発明の応用例図５（特許文献４）では、発明を構成する部品が多くなってしまうため、実際の工業生産においては不利であり、杖の利用者の便宜を図るために相応しい物とは言えなくなってしまっている。
本発明は、これらの問題点を解決するためになされたものである。
【課題を解決するための手段】
【０００４】  杖の自立を支えるための異形コイルバネと杖の重心を下げるための鋼棒製の錘とを杖の倒れに対する回転モーメントの支点となる支軸の地面側に取り付け、ネジ等によって位置を調整できる石突をこの錘の地面側に仮止めする。
そして、既製のパイプ杖の接地側にある部品を除去することによってパイプ端面を露出させて、本装置をパイプ内部に差し込み固定する。
最後に杖を立たせて、杖の自重によって石突が軽く接地するように石突の位置を調整して固定する。
これらの構成により、杖の重心は錘によって地面側に下がり、自立を支える異形コイルバネの円形の接地部と中心にある石突の接地部との２つの接地により、安定した自立姿勢を保つことができる。
また異形コイルバネは伸縮変形できるため、歩行の邪魔にならず、全方位に対して効果を発揮できる。
以上を特徴とする既製のパイプ杖を自立させる装置である。【０００５】  上記の装置の支軸と杖とを一体化し、杖の自立を支えるための異形コイルバネと杖の重心を下げるための鋼棒製の錘とをこの支軸構造部を有する杖に取り付け、ネジ等によって位置を調整できる石突をこの錘の地面側に仮止めする。
最後に杖を立たせて、杖の自重によって石突が軽く接地するように石突の位置を調整して固定する。
これらの構成により、杖の重心は錘によって地面側に下がり、自立を支える異形コイルバネの円形の接地部と中心にある石突の接地部との２つの接地により、安定した自立姿勢を保つことができる。
また異形コイルバネは伸縮変形できるため、歩行の邪魔にならず、全方位に対して効果を発揮できる。
以上を特徴とする自立機構を有する杖である。
【発明の効果】
【０００６】以下、本発明の効果を説明する。
（イ）杖は図６のように異形コイルバネの接地部（１１）と石突の接地部（１２）との２つの接地部により接地面のみで安定して自立できるので、杖から手を離しておく時に壁面やテーブルといったものを必要としない。
（ロ）歩行時には杖の自立を支持するための異形コイルバネ（１）は伸縮変形するため、杖を突いたり引揚げたりするときに邪魔にならず、通常の杖に近い使用感を得られ、更に杖を突く時には図７のようにバネの反発力（１４）は杖を突く力（１３）による衝撃を吸収し、杖を引揚げる時には図８のようにバネの反発力（１６）は杖を引揚げる力（１５）を補助する。
（ハ）杖を自立させたい時には、杖を地面に対して垂直に近い状態にして杖から手を離しておけば良いため、三脚方式に比べて手間がかからない。
（ニ）鋼棒製の錘（２）によって杖の重心が下がるため、杖の上部に横方向から外力が加えられても錘が無い場合に比べて倒れにくくなり、その結果、錘となるものが無い場合に比べて、異形コイルバネの接地部（１１）の直径を小さくすることが可能になり、歩行時の邪魔になりにくくできる。
（ホ）異形コイルバネの接地部（１１）は円形のため、ハネダシ部を持つ構造や三脚と異なり、全方位に対して安定して効果を発揮できる。
（ヘ）多数の効果を持つ割には本発明を構成する部品数が少ないため、工業生産性が良く、比較的安価で杖の利用者に提供できる。
【実施例１】
【０００７】  以下、本発明における請求項１の実施の形態を説明する。
（イ）杖の自立を支えるための切頭円錐形の外観を持つ異形コイルバネ（１）を、杖の倒れに対する回転モーメントの支点となるアルミニウム製又は強化樹脂製の支軸（３）の地面側のネジを切った外周部にねじ込んで取り付ける。
この時、異形コイルバネ（１）の取り付け部の内径よりも支軸（３）のネジ谷部の径を少し大きくしておき、ゆるみ防止の機能を持たせ固定する。
（ロ）支軸（３）の地面側の端面にあるタップ穴に、石突取り付け用のネジを切った鋼棒製の錘（２）をねじ込んで取り付ける。
（ハ）石突取り付け用のネジを切った鋼棒製の錘（２）の地面側に、ゆるみ止め用のナット（５）とネジによって位置を調整できる高硬度ゴム製又は強化樹脂製の石突（４）とを順番にねじ込んで取り付ける。
（ニ）支軸（３）のパイプ固定側に、ネジの回転によって押し込められ、支軸（３）の斜面によって径が拡がるスリット溝付樹脂ナット（６）をねじ込み、Ｅ形止め輪（７）でその脱落を防止する。
本発明は以上の構成からなるので本発明を使用する時は、既製のパイプ杖（８）の接地側にある部品を取り除いて本装置をパイプ内部に差し込み回転させて固定し、杖を立たせて杖の自重によって石突（４）が軽く接地するように石突（４）の位置を調整し、ゆるみ止め用のナット（５）で固定する。
そして、歩行時には通常の杖と同様に使用し、自立させたい時には杖を地面に対して垂直に近い状態にして杖から手を離しておけば良い。
【実施例２】
【０００８】  以下、本発明における請求項２の実施の形態を説明する。
（イ）杖の自立を支えるための切頭円錐形の外観を持つ異形コイルバネ（１）を、杖の倒れに対する回転モーメントの支点となるアルミニウム製又は強化樹脂製の支軸構造部（１０）を有する杖（９）の地面側のネジを切った外周部にねじ込んで取り付ける。
この時、異形コイルバネ（１）の取り付け部の内径よりも支軸構造部（１０）のネジ谷部の径を少し大きくしておき、ゆるみ防止の機能を持たせ固定する。
（ロ）支軸構造部（１０）の地面側の端面にあるタップ穴に、石突取り付け用のネジを切った鋼棒製の錘（２）をねじ込んで取り付ける。
（ハ）石突取り付け用のネジを切った鋼棒製の錘（２）の地面側に、ゆるみ止め用のナット（５）とネジによって位置を調整できる高硬度ゴム製又は強化樹脂製の石突（４）とを順番にねじ込んで取り付ける。
本発明は以上の構成からなるので本発明を使用する時は、杖を立たせて杖の自重によって石突（４）が軽く接地するように石突（４）の位置を調整し、ゆるみ止め用のナット（５）で固定する。
そして、歩行時には通常の杖と同様に使用し、自立させたい時には杖を地面に対して垂直に近い状態にして杖から手を離しておけば良い。
【図面の簡単な説明】
【０００９】
【図１】  本発明における請求項１の使用状態を示す斜視図
【図２】  本発明における請求項１の斜視図
【図３】  本発明における請求項１の分解斜視図
【図４】  本発明のおける請求項２の斜視図
【図５】  本発明のおける請求項２の分解斜視図
【図６】  本発明の自立時の使用状態を示す側面断面図
【図７】  本発明の杖突き時の使用状態を示す側面断面図
【図８】  本発明の杖引揚げ時の使用状態を示す側面断面図
【符号の説明】
【００１０】  １  異形コイルバネ
２  錘
３  支軸
４  石突
５  ナット
６  スリット溝付樹脂ナット
７  Ｅ形止め輪
８  既製のパイプ杖
９  支軸構造部を有する杖
１０  支軸構造部
１１  異形コイルバネの接地部
１２  石突の接地部
１３  杖を突く力
１４  バネの反発力
１５  杖を引揚げる力
１６  バネの反発力
【図１】
2006102408.tif 000003
【図２】
2006102408.tif 000004
【図３】
2006102408.tif 000005
【図４】
2006102408.tif 000006
【図５】
2006102408.tif 000007
【図６】
2006102408.tif 000008
【図７】
2006102408.tif 000009
【図８】
2006102408.tif 000010